(57)【要約】【課題】ＩＣカード挿入・取り出しの操作性向上、装着されたＩＣカードの視認性向上が可能なＩＣカードトレイおよびＩＣカードトレイを備えたＩＣカードリーダライタを提供すること。【解決手段】載置すべきＩＣカードの片面に面接触可能で、かつ少なくとも一部がほぼ透明である底面部と、この底面部から起立して設けられ、面接触させられたＩＣカードの位置を規制する起立部とを具備するＩＣカードトレイおよびこのＩＣカードトレイを有するＩＣカードリーダライタである。【選択図】図１
2006134087.tif 000002
【特許請求の範囲】
【請求項１】
載置すべきＩＣカードの片面に面接触可能で、かつ少なくとも一部がほぼ透明である底面部と、
前記底面部から起立して設けられ、前記面接触させられたＩＣカードの位置を規制する起立部と
を具備することを特徴とするＩＣカードトレイ。
【請求項２】
トレイ形状としてほぼ矩形であり、
前記矩形としての頂点の近傍に、突起またはへこみを少なくとも１つ有することを特徴とする請求項１記載のＩＣカードトレイ。
【請求項３】
前記載置されたＩＣカードが面接触する前記底面部の表面とは反対側の前記底面部の表面に溝が形成されていることを特徴とする請求項１記載のＩＣカードトレイ。
【請求項４】
スライド可能な方向と垂直の方向にかつ前記載置されたＩＣカードに干渉しない位置に突起部が形成されていることを特徴とする請求項１記載のＩＣカードトレイ。
【請求項５】
前記載置されたＩＣカードとの面接触を避けるように、端部に連絡しかつ貫通している溝が前記底面部に形成されていることを特徴とする請求項１記載のＩＣカードトレイ。
【請求項６】
前記起立部が、前記載置されたＩＣカードの一辺に対しては形成されていないことを特徴とする請求項１記載のＩＣカードトレイ。
【請求項７】
前記起立部が形成されていない前記底面部の部位の少なくとも一部が、前記載置されたＩＣカードとの面接触を避けるように欠落していることを特徴とする請求項６記載のＩＣカードトレイ。
【請求項８】
ＩＣカードが載置されたＩＣカードトレイを挿入するための挿入口を有する、ＩＣカードトレイを備えたＩＣカードリーダライタであって、
請求項１ないし請求項７のいずれか１項記載のＩＣカードトレイと、
前記ＩＣカードトレイが前記挿入口に挿入された状態で、前記ＩＣカードトレイの前記起立部に位置規制され載置されたＩＣカードに前記ＩＣカードトレイの側とは反対側から電気的接触すべく設けられたコネクタと
を具備することを特徴とする、ＩＣカードトレイを備えたＩＣカードリーダライタ。
【請求項９】
前記ＩＣカードトレイが挿入された状態で前記挿入口をふさぐトレイカバーをさらに具備し、
該トレイカバーにより前記挿入口がふさがれることによって前記ＩＣカードトレイの前記挿入口側への位置規制がされることを特徴とする請求項８記載の、ＩＣカードトレイを備えたＩＣカードリーダライタ。
【請求項１０】
前記挿入口に前記ＩＣカードトレイが挿入された状態でかど後退部が手前に位置するように前記ＩＣカードトレイに載置されたＩＣカードをさらに具備することを特徴とする請求項８記載の、ＩＣカードトレイを備えたＩＣカードリーダライタ。
【発明の詳細な説明】
【技術分野】
【０００１】
本発明は、ＩＣカードを装着可能なＩＣカードリーダライタへＩＣカードを挿入するため、ＩＣカードリーダライタから取り出すため、およびＩＣカードリーダライタ内部でＩＣカードを保持するため必要なＩＣカードトレイならびにこのようなＩＣカードトレイを備えたＩＣカードリーダライタに係り、特に、小型のＩＣカードに対応するのに好適なＩＣカードトレイおよびＩＣカードトレイを備えたＩＣカードリーダライタに関する。
【背景技術】
【０００２】
コンピュータ、ディジタルカメラ、およびディジタル録音装置などの情報商品の普及に伴い、消費者の情報保存機器に対する要求も日増しに増加している。また、いつでもどこでもというユビキタス社会に向かってモバイル機器の開発が活発化している。このような状況の中、軽薄短小の流れに沿って、各種データを保持したカード状電子部品が多く利用されるようになっている。
【０００３】
カード状電子部品をホスト機器への挿入し取り出すための機構については、例えば、下記特許文献１、特許文献２にあるようにトレイを利用した機構が提案されている。これらの機構は、ＰＣＭＣＩＡ（personal computer memory card international association）カードに代表される、カードの端面に入出力コネクタが形成されたカードの使用を前提としており、厚さが１ｍｍ以下であるようなＩＣカードには適用が困難である。
【０００４】
また、コンピュータシステムやネットワークシステムでは、データ保護やセキュリティ対策の要求が高まっている。このような要求に対して、ＩＣデバイスを組み込んだカード状電子部品であるＩＣカードは、その耐タンパ性やデータの保持性能の点から極めて高いセキュリティを持つものとして広く使用されている。一般的なＩＣカードは、磁気カードと同じ大きさの５４ｍｍ×８６ｍｍ×厚み０．８ｍｍであり、上記のＰＣＭＣＩＡカードやコンパクトフラッシュ（登録商標）カードより厚みが薄い。このような薄いカードをホスト機器へ挿入し取り出すための機構には、例えば下記特許文献３にあるようなローディング機構や、挿入時に押し込むことによりロック固定し取り出すときにさらにカードを押すとカードが飛び出してくるような機構（プッシュバック機構）がある。
【０００５】
他方、上記のＩＣカードとは異なる、大きさが非常に小さいＩＣカードが、近年、携帯電話端末などに装着可能になっている。ＳＩＭ、ＵＩＭ、またはＵＳＩＭカードと呼ばれ、セキュリティＩＤモジュールとして用いられる。ＵＩＭ（user identity module）は、携帯電話会社が発行する契約者情報を記録した小型ＩＣカードであり携帯電話端末に組み込んで利用者の識別に利用する。このＵＩＭは、同様の機能を有するＳＩＭ（subscriber identity module）から機能拡張されたもので、契約者情報以外に電話帳などのプライベート情報やクレジット決済用の個人識別情報などを暗号化して登録することもできる。ＵＩＭはＳＩＭをベースとしているのでＵＳＩＭ（universal SIM）とも呼ばれる。
【０００６】
ＳＩＭは、ＧＳＭ携帯電話サービスの利用を目的とするが、ＵＩＭは、例えば、米国のｃｄｍａ２０００携帯電話機に差し込んで国際ローミングサービスを受けるといった使用方法が考えられている。携帯電話端末に代表される携帯機器本体を個別に所持するのではなく、ＳＩＭカードを差し替えることによって使用者と携帯機器を合致させたり、他人に携帯機器を使用できないようにしたりすることができる。このためＳＩＭカードはホスト機器に挿入、取り出しができるようにすることが必要になる。以下、本願明細書では「ＳＩＭ」の表記によりＵＩＭやＵＳＩＭを含んで意味する場合がある。
【０００７】
ＳＩＭカードのホスト機器への挿入・取り出しのためには、例えば、上記の通常のＩＣカードと同様にプッシュバック機構を用いることができる。または、下記特許文献４にあるようにトレイを用い、トレイへＳＩＭの装着してこのトレイ自体をカード状電子部品として扱うような形態も提案されている。
【特許文献１】実開平５−３６５２４号公報
【特許文献２】特開２００１−１０１３４８号公報
【特許文献３】特開平７−２４４７１１号公報
【特許文献４】特開２００１−１４３０４５号公報
【発明の開示】
【発明が解決しようとする課題】
【０００８】
ＳＩＭカードをホスト機器に挿入・取り出す操作性は製品として重要なポイントになっている。従来のＳＩＭカードの挿入・取り出しのための構造は、機構が複雑、ＳＩＭカードと電気的接触するコネクタが高価になるというような改善すべき点がある。また機構が複雑であるため、機構が壊れた場合への対応も必要になっている。例えば、ＳＩＭカードがホスト機器に挿入して取り外しができなくなるという問題を避けるため、ＳＩＭカードをコネクタの端子とコンタクトしている力によって保持し、ピンセットなどを使用して取り出し可能にするなどである。
【０００９】
このような取り出しは面倒であり、さらには、ＳＩＭカードがコネクタの端子とコンタクトしている力によって保持されているだけでは、何らかの衝撃でＳＩＭカードが正規位置から外れることもあり得る。また、挿入されたＳＩＭカードは、その端面や側面が見えるだけであり何のあるいは誰のＳＩＭカードが挿入されているかが分からないという不都合がある。確認するにはホスト機器からＳＩＭカードを取り出す必要が生じ使い勝手が悪い。
【００１０】
本発明は、上記の状況を考慮してなされたもので、ＩＣカードを装着可能なＩＣカードリーダライタへＩＣカードを挿入するため、ＩＣカードリーダライタから取り出すため、およびＩＣカードリーダライタ内部でＩＣカードを保持するため必要なＩＣカードトレイならびにこのようなＩＣカードトレイを備えたＩＣカードリーダライタにおいて、挿入・取り出しの操作性向上、装着されたＩＣカードの視認性向上が可能なＩＣカードトレイおよびＩＣカードトレイを備えたＩＣカードリーダライタを提供することを目的とする。
【課題を解決するための手段】
【００１１】
上記の課題を解決するため、本発明に係るＩＣカードトレイは、載置すべきＩＣカードの片面に面接触可能で、かつ少なくとも一部がほぼ透明である底面部と、前記底面部から起立して設けられ、前記面接触させられたＩＣカードの位置を規制する起立部とを具備することを特徴とする。
【００１２】
すなわち、このＩＣカードトレイは、載置されたＩＣカードを起立部により位置規制することができ、かつＩＣカードをＩＣカードリーダライタに挿入、取り出すときにも起立部がＩＣカードを確実に移動させる。トレイに載置されたＩＣカードはトレイと反対の側からコネクタで電気的接続可能である。このとき、トレイとコネクタとでＩＣカードの上下方向の確実な保持ができる。したがって、このＩＣカードトレイを用いることでＩＣカードの挿入・取り出しの操作性を向上することができる。さらに、トレイ底面部の少なくとも一部が透明なのでトレイにＩＣカードが載置されていることをトレイを介して視認することが容易である。
【００１３】
また、本発明に係る、ＩＣカードトレイを備えたＩＣカードリーダライタは、ＩＣカードが載置されたＩＣカードトレイを挿入するための挿入口を有する、ＩＣカードトレイを備えたＩＣカードリーダライタであって、上記のＩＣカードトレイと、前記ＩＣカードトレイが前記挿入口に挿入された状態で、前記ＩＣカードトレイの前記起立部に位置規制され載置されたＩＣカードに前記ＩＣカードトレイの側とは反対側から電気的接触すべく設けられたコネクタとを具備することを特徴とする。
【００１４】
すなわち、このＩＣカードリーダライタでは、上記のＩＣカードトレイが本体であるこのＩＣカードリーダライタに挿入されたとき、その載置されたＩＣカードの露出する側の面にコネクタが位置する。コネクタとＩＣカードトレイとにより、ＩＣカードの上下方向の位置保持が確実になされつつＩＣカードとコネクタとの電気的接触が確立する。また、ＩＣカードトレイにより上記のようにＩＣカードの位置規制および移動が可能である。さらに、ＩＣカードに面接触するＩＣカードトレイの底面部が少なくとも一部透明なので、ＩＣカードトレイが本体に挿入された状態において、ＩＣカードリーダライタに装着されたＩＣカードの視認がトレイを介して容易にできる。したがって、ＩＣカードの挿入・取り出しの操作性向上、装着されたＩＣカードの視認性向上が達せられる。
【発明の効果】
【００１５】
本発明によれば、ＩＣカードを装着可能なＩＣカードリーダライタへＩＣカードを挿入するため、ＩＣカードリーダライタから取り出すため、およびＩＣカードリーダライタ内部でＩＣカードを保持するため必要なＩＣカードトレイならびにこのようなＩＣカードトレイを備えたＩＣカードリーダライタにおいて、挿入・取り出しの操作性向上、装着されたＩＣカードの視認性向上が可能なＩＣカードトレイおよびＩＣカードトレイを備えたＩＣカードリーダライタを提供することができる。
【発明を実施するための最良の形態】
【００１６】
本発明の実施態様として上記ＩＣカードトレイは、トレイ形状としてほぼ矩形であり、前記矩形としての頂点の近傍に、突起またはへこみを少なくとも１つ有する、としてもよい。突起またはへこみに対応する相補の部位を本体側に設けることにより、このＩＣカードトレイが本体から引き出されたとき、本体から容易には離脱することがなくなる。
【００１７】
また、実施態様として、前記載置されたＩＣカードが面接触する前記底面部の表面とは反対側の前記底面部の表面に溝が形成されている、としてもよい。この溝が形成された底面部の表面は、ＩＣカードトレイが本体に挿入されたとき、載置されたＩＣカードの視認のため外部空間にさらされる面である。そこで、この面に溝を形成してあれば、ＩＣカードトレイを引っ掛けて本体から引き出すのに都合がよい。
【００１８】
また、実施態様として、スライド可能な方向と垂直の方向にかつ前記載置されたＩＣカードに干渉しない位置に突起部が形成されている、としてもよい。この突起部を例えば本体から突出させることで、ＩＣカードトレイを本体から引き出すための補助として用いることができる。
【００１９】
また、実施態様として、前記載置されたＩＣカードとの面接触を避けるように、端部に連絡しかつ貫通している溝が前記底面部に形成されている、としてもよい。この溝を利用して本体側にＩＣカードの装着の有無を検出する検出器を設けることができる。
【００２０】
また、実施態様として、前記起立部は、前記載置されたＩＣカードの一辺に対しては形成されていない、とすることができる。この一辺は例えば本体に挿入するときの手前側とすることができる。手前側から奥にＩＣカードトレイとともにＩＣカードを直接押し込む態様である。ここで、前記起立部が形成されていない前記底面部の部位の少なくとも一部が、前記載置されたＩＣカードとの面接触を避けるように欠落しているとしてもよい。このようにＩＣカードトレイに欠落があると、ＩＣカードトレイが本体から引き出されたとき、ＩＣカードをつまんで取り出すことが容易になる。
【００２１】
また、ＩＣカードリーダライタの実施態様として、前記ＩＣカードトレイが挿入された状態で前記挿入口をふさぐトレイカバーをさらに具備し、該トレイカバーにより前記挿入口がふさがれることによって前記ＩＣカードトレイの前記挿入口側への位置規制がされる、としてもよい。このようなトレイカバーにより、ＩＣカードの位置規制とともに、挿入口において筐体の外面との連続性が増しデザイン的にもよい印象を生む。
【００２２】
また、実施態様として、前記挿入口に前記ＩＣカードトレイが挿入された状態でかど後退部が手前に位置するように前記ＩＣカードトレイに載置されたＩＣカードをさらに具備する、としてもよい。ＩＣカードをこのような方向で本体内に保持すれば、ＩＣカードがＩＣカードトレイにより本体から挿抜されるときに、ＩＣカードの電極端子の配置上、これとコネクタ接点との接触が移動することによる短絡を確実に防止できる利点がある。
【００２３】
以上を踏まえ、以下では本発明の実施形態を図面を参照しながら説明する。図１は、本発明の一実施形態に係るＩＣカードトレイの構成を、その載置されたＩＣカードとともに示す斜視図である。図１をはじめ以下の図３、図４、図１２では、説明の都合上、トレイ形状を下から見上げた方向でＩＣカードトレイ１を描く。
【００２４】
図１に示すように、このＩＣカードトレイ１は、ＩＣカード２の片面に面接触する底面部と、底面部に載置されたＩＣカード２を位置規制するための起立部１ａとを有する。起立部１ａは、底面部から起立して設けられるが、載置されたＩＣカード２の一辺の側に対しては全く形成されていない。これは、後述するが、ＩＣカードトレイ１からのＩＣカード２の取り出し・載置の便宜を考慮したものである。ＩＣカードトレイ１の材質は、例えば多少可撓性を有する樹脂とすることができる。
【００２５】
図１において、符号１ｂは引き抜け防止突起、符号１ｃは貫通溝部である。それらの機能等は後述する。ＩＣカード２には、その片面（ＩＣカードトレイ１の側とは反対側になる面）に電極端子２ａが設けられ、ＩＣカードトレイ１に載置されたとき起立部１ａの全くない側にそのかど後退部２ｂが位置する。
【００２６】
図２は、ＩＣカード２の構成を示す平面図である。この図は、電極端子２ａが設けられた面を示している。ＳＩＭカードの場合大きさは図示縦が１５ｍｍ、横が２５ｍｍであり、磁気カードと同じサイズ（５４ｍｍ×８６ｍｍ×厚み０．８ｍｍ）のＩＣカードより非常に小さい。しかし搭載されるＩＣの機能として変わるところはなく、ＩＣカードとして有し得る機能性は同じである。かど後退部２ｂはＩＣカード２の向きをユーザに示すためのものである。
【００２７】
図３は、図１中に示したＩＣカードトレイ１をそれのみで示す斜視図である。各符号は図１と共通する。図３に示すように、ＩＣカードトレイ１は、その底面部１ｄ（の一部）が少なくとも透明であり、これを通して底面部１ｄ側から載置されたＩＣカードを確認可能である。また、起立部１ａの全く形成されていない底面部１ｄ部位の一部には、欠落部１ｅが形成されている。これは、このＩＣカードトレイ１を欠落部１ｅを手前に本体から引き出したとき、ＩＣカードをつまんで取り出しやすくまた載置しやすくするためである。
【００２８】
図４は、本発明の一実施形態に係るＩＣカードリーダライタにおけるＩＣカードの装着態様を説明する斜視図である。符号はすでに説明した図と共通する。上記説明のＩＣカードトレイ１が本体であるＩＣカードリーダライタに挿入されたときには、その載置されたＩＣカード２を図４に示すような状態で保持する。すなわち、ＩＣカード２の図で上側をＩＣカードトレイ１の底面部１ｄで、下側を配線基板４に実装されたＩＣカードコネクタ３で位置規制し、かつＩＣカード２の短辺方向と長辺方向のうち一方とをＩＣカードトレイ１の起立部１ａにより位置規制する。
【００２９】
ＩＣカードトレイ１がその載置されたＩＣカード２の長辺方向に欠落部１ｅを手前にして引き出されるときには、起立部１ａの一部がＩＣカード２を確実に位置変化させ本体からの取り出しを補助する。ＩＣカード２を本体に挿入するときには、本体から引き出されたＩＣカードトレイ１にＩＣカード２を所定方向で載置し、そのあとＩＣカードトレイ１の欠落部１ｅ側およびその側のＩＣカード２の端面を同時に本体側に押し込む。ＩＣカードトレイ１は、本体側に設けられた突き当て面により所定の挿入方向位置で止まる。
【００３０】
なお、ＩＣカード２のかど後退部２ｂが挿入する手前側になるように配線基板４およびＩＣカードコネクタ３を配置しているのは、ＩＣカード２の電極端子２ａの配置を考慮したからである。すなわち、ＩＣカード２をこのような方向で本体内に保持すれば、ＩＣカード２がＩＣカードトレイ１により本体から挿抜されるときに、ＩＣカード２の電極端子２ａの配置上、これとコネクタ３接点との接触が移動することによる短絡を確実に防止できる。
【００３１】
図５は、本発明の一実施形態に係るＩＣカードリーダライタにおける配線基板４とＩＣカードコネクタ３との位置関係を示す斜視図である。符号はすでに説明した図と共通する。配線基板４上には、図示していないが、電気的処理を行う各電気／電子部品が実装され、その一部としてＩＣカード２との電気的接触を行うＩＣカードコネクタ３も実装されている。ＩＣカードコネクタ３には、ＩＣカード２の電極端子２ａと電気的接触を行うためのばね性のある端子が設けられている。このばね性により本体内にＩＣカード２が装着されたときこれを確実にＩＣカードトレイ１側に押しつけ保持する。
【００３２】
図６は、図５に示した配線基板４およびＩＣカードコネクタ３と、装着されたＩＣカード２との位置関係を示す斜視図である。符号はすでに説明した図と共通する。図６に示すように、ＩＣカード２はその電極端子２ａの側がＩＣカードコネクタ３に向き合う。
【００３３】
図７は、図６に示した配線基板４およびＩＣカード２と、図３に示したＩＣカードトレイ１とのあるべき位置関係を示す斜視図である。符号はすでに説明した図と共通する。図７に示すように、ＩＣカード２の配線基板４とは反対側にＩＣカードトレイ１が位置し、この状態がＩＣカード２の装着状態（保持状態）である。装着されたＩＣカード２は、ＩＣカードトレイ１の一部が透明なのでこれを通してその存在を視認することができる。
【００３４】
ＩＣカードトレイ１のＩＣカード２が位置する側とは反対の表面には引き出し溝１ｆが形成されている。ユーザはこの溝に爪などを引っ掛けて、本体から引き出す方向にＩＣカードトレイ１を動かすことができる。引き出し溝１ｆに代えて、ＩＣカードトレイ１がスライドする方向と垂直の方向にかつＩＣカード２の位置に干渉しないようにこのＩＣカードトレイ１から突起部を設け本体から突き出させるようにしてもよい。この場合、本体にはその突起部がスライドできるスリットを設けておき、スリット内でこの突起部を動かすことで、本体から引き出す方向にＩＣカードトレイ１をスライドさせることができる。
【００３５】
引き抜け防止突起１ｂは、ＩＣカードトレイ１を本体から引き出すときの引き抜けを防止するためのものであり、矩形のトレイ形状としての頂点近傍に少なくともひとつ設けられる。突起ではなくへこみでもよく、要は本体側の相補する部位の形状による。
【００３６】
貫通溝部１ｃは、載置されたＩＣカード２との面接触を避けるように、ＩＣカードトレイ１の端部に連絡しかつ貫通している。このような形状にすることにより、配線基板４にはＩＣカード２の存在を検出するスイッチを容易に設けることができる。すなわち、貫通溝部１ｃがスライド方向の切れ込みとしてＩＣカード２の載置位置にくい込んでいるので、図７に示すような位置のＩＣカードトレイ１には反応せず、その装着されたＩＣカード２にのみ反応するスイッチを配線基板４上に設けることは容易である。
【００３７】
さらに、切れ込みをトレイ形状の中ほど以上まで深くすることで、このＩＣカードトレイ１を本体から引き出すときその根元を幅方向に狭めて、引き抜け防止突起１ｂをよけてＩＣカードトレイ１を本体から容易に外せるようにすることも可能である。貫通溝部１ｃはまた、製造時には、ＩＣカードトレイ１を別体として形成しておき組み立て時に本体側にＩＣカードトレイ１を組み込む（挿入する）ことを容易化する。ＩＣカードトレイ１の組み込み前には本体側に可動部位がないので、その組み立て性が非常によい。
【００３８】
図８は、図７に示した配線基板４、ＩＣカード２、およびＩＣカードトレイ１と、ＩＣカードトレイカバー５との位置関係を示す斜視図である。符号はすでに説明した図と共通する。図７に示すように装着されたＩＣカード２は、図８に示すようにその引出し手前側をＩＣカードトレイカバー５により位置規制される。これによりＩＣカード２は上下方向、短辺方向、長辺方向の６方向すべてに位置規制されるので本体側との位置関係が固定する。
【００３９】
図９は、図８に示した配線基板４、ＩＣカード２、ＩＣカードトレイ１、およびＩＣカードトレイカバー５と、筐体カバー６との位置関係を示す斜視図である。符号はすでに説明した図と共通する。図９に示すように、筐体カバー６は装着されたＩＣカード２を視認するためのＩＣカード視認開口部６ａを有している。この開口部６ａは、図示するように、ＩＣカードトレイ１を本体から引き出すための引き出し溝１ｆにアクセスする開口部でもある。
【００４０】
ＩＣカードトレイカバー５は、筐体カバー６に設けられたＩＣカードトレイ挿入口６ｂにはまり込み、これにより筐体カバー６との連続性を示す形状になっている。またＩＣカードトレイカバー５は、ＩＣカードトレイ１が本体から引き出されている状態では、長手方向の一方端部が筐体カバー６に係合して外れないようになっており、紛失が防止される。なお、符号６ｃはＬＥＤ導光穴であり、配線基板４上に実装されたＬＥＤの発光を通過させるためのものである。
【００４１】
図１０は、本発明の一実施形態に係るＩＣカードリーダライタにおいてＩＣカードトレイカバー５を外したときのＩＣカードトレイ挿入口６ｂを望む側面図（ＩＣカード装着済）である。符号はすでに説明した図と共通する。図１０に示すように、ＩＣカード２は、図で上部および左右がＩＣカードトレイ１により位置規制され、下部がＩＣカードコネクタ３に接触して位置規制されている。また、ＩＣカードトレイ１は、筐体カバー６との関係ではトレイスライド枠６ｄに案内されて本体からの挿抜スライドが可能になっており、かつスライド方向の可動範囲が規定されている。
【００４２】
図１１は、本発明の一実施形態に係るＩＣカードリーダライタにおいてＩＣカードトレイカバー５をはめ込んだときのＩＣカードトレイ挿入口６ｂを望む側面図である。符号はすでに説明した図と共通する。図９でも述べた通り、ＩＣカードトレイカバー５は、ＩＣカードトレイ挿入口６ｂにはまり込み筐体カバー６の外面と連続性を有する形状になっている。
【００４３】
図１２は、本発明の一実施形態に係るＩＣカードリーダライタにおいて、ＩＣカードトレイ１がスライドする態様を説明する斜視図である。符号はすでに説明した図と共通する。図１２（ａ）は、ＩＣカードトレイ１が本体に挿入された状態を示し、図１２（ｂ）はＩＣカードトレイ１が本体から引き出されている状態を示し、いずれも説明の都合上配線基板４の側の図示を省略している。
【００４４】
この実施形態では、ＩＣカードトレイ１の引き抜け防止突起１ｂは、図１２（ｂ）に示す状態で本体側からの引き出しを停止させるようにはたらく。したがって、この状態でＩＣカード２はＩＣカードトレイ１上に載置されるかまたは取り出されるかである。このときＩＣカードトレイ１に欠落部１ｅがあるためＩＣカード２をつまむようにしてハンドリングが容易に可能である。
【００４５】
以上、本発明の実施形態を述べたが、全体的な特徴として構造が単純であり部品点数が少なく加工の程度も小さいという利点がある。これにより、ＩＣカードの挿入・取り出しの操作性向上、装着されたＩＣカードの視認性向上という機能面のほか、コスト的にも好ましい結果がもたらされる。
【図面の簡単な説明】
【００４６】
【図１】本発明の一実施形態に係るＩＣカードトレイの構成を、その載置されたＩＣカードとともに示す斜視図。
【図２】ＩＣカードの構成を示す平面図。
【図３】図１中に示したＩＣカードトレイをそれのみで示す斜視図。
【図４】本発明の一実施形態に係るＩＣカードリーダライタにおけるＩＣカードの装着態様を説明する斜視図。
【図５】本発明の一実施形態に係るＩＣカードリーダライタにおける配線基板とＩＣカードコネクタとの位置関係を示す斜視図。
【図６】図５に示した配線基板およびＩＣカードコネクタと、装着されたＩＣカードとの位置関係を示す斜視図。
【図７】図６に示した配線基板およびＩＣカードと、図３に示したＩＣカードトレイとのあるべき位置関係を示す斜視図。
【図８】図７に示した配線基板、ＩＣカード、およびＩＣカードトレイと、ＩＣカードトレイカバーとの位置関係を示す斜視図。
【図９】図８に示した配線基板、ＩＣカード、ＩＣカードトレイ、およびＩＣカードトレイカバーと、筐体カバーとの位置関係を示す斜視図。
【図１０】本発明の一実施形態に係るＩＣカードリーダライタにおいてＩＣカードトレイカバーを外したときのＩＣカードトレイ挿入口を望む側面図（ＩＣカード装着済）。
【図１１】本発明の一実施形態に係るＩＣカードリーダライタにおいてＩＣカードトレイカバーをはめ込んだときのＩＣカードトレイ挿入口を望む側面図。
【図１２】本発明の一実施形態に係るＩＣカードリーダライタにおいて、ＩＣカードトレイがスライドする態様を説明する斜視図。
【符号の説明】
【００４７】
１…ＩＣカードトレイ、１ａ…起立部、１ｂ…引き抜け防止突起、１ｃ…貫通溝部、１ｄ…底面部、１ｅ…欠落部、１ｆ…引き出し溝、２…ＩＣカード（ＳＩＭカード）、２ａ…電極端子、２ｂ…かど後退部、３…ＩＣカードコネクタ、４…配線基板、５…トレイカバー、６…筐体カバー、６ａ…ＩＣカード視認開口部、６ｂ…ＩＣカードトレイ挿入口、６ｃ…ＬＥＤ導光穴、６ｄ…トレイスライド枠。
【図１】
2006134087.tif 000003
【図２】
2006134087.tif 000004
【図３】
2006134087.tif 000005
【図４】
2006134087.tif 000006
【図５】
2006134087.tif 000007
【図６】
2006134087.tif 000008
【図７】
2006134087.tif 000009
【図８】
2006134087.tif 000010
【図９】
2006134087.tif 000011
【図１０】
2006134087.tif 000012
【図１１】
2006134087.tif 000013
【図１２】
2006134087.tif 000014